(57)【要約】【課題】  本発明の課題は、前後いずれの方向にも棚板の引出し量を十分に確保し、とくに開口部の上部が天板またはワークトップで覆われている場合にも使い勝手の良いキャビネットを提供するものである。【解決手段】  本発明では、開口部を備えるキャビネットにおいて、前記開口部の底部に棚板と基台を備え、前記棚板と前記基台を連接する第１レールと、前記開口部の側板と前記基台とを連接する第２レールとを備え、前記棚板と前記基台とを着脱可能にする係止部を設けたことを特徴とするキャビネットを提供する。【選択図】  図１
2007020599.tif 000002
【特許請求の範囲】
【請求項１】
開口部を備えるキャビネットにおいて、前記開口部の底部に棚板と基台を備え、前記棚板と前記基台を連接する第１レールと、前記開口部の側板と前記基台とを連接する第２レールとを備え、前記棚板と前記基台とを着脱可能にする係止部を設けたことを特徴とするキャビネット。
【請求項２】
前記棚板の前側に第１把手を備え、前記第１把手が前記開口部の間口よりも外側へ突出する凸部を設けたことを特徴とする請求項１記載のキャビネット。
【発明の詳細な説明】
【技術分野】
【０００１】
本発明は、キッチンで使用するキャビネットに係り、特に電気炊飯器等の家電製品を収納するに好適な棚板を供えるキャビネットに関する発明である。 
【背景技術】
【０００２】
従来の開口部を備えるキャビネットで棚板上に電気炊飯器等の家電製品を置いて使用するものにおいては、前後両方向にスライド可能なレール上に棚板を設けることにより、棚板を前後両方向に引出し可能としたものがある。
例えば特許文献１の図６を参照すると、キャビネットと棚板に固定する１対のレールを用いている。図中、実線で図示された棚板およびレールの引出し方向を前方向とすると、鎖線で図示された棚板およびレールが後ろ方向に引出した状態である。このような場合、レールの引き残しがあるために前後いずれの方向にもレールの引出し量が十分に確保できない。すなわち棚板の引出し量が十分に確保できず、とくに開口部の上部が天板またはワークトップで覆われている場合に、例えば棚板上の電気炊飯器の蓋を全開しようとする場合に前記天板やワークトップと干渉し、使い勝手が悪いという問題があった。
【特許文献１】特開２００２−１０１９７９号公報（第５頁、第６図）
【特許文献２】特開２００３−３１０３６８号公報（第７頁、第２−３図）
【発明の開示】
【発明が解決しようとする課題】
【０００３】
本発明は、上記問題を解決するためになされたもので、本発明の課題は、前後いずれの方向にも棚板の引出し量を十分に確保し、とくに開口部の上部が天板またはワークトップで覆われている場合にも使い勝手の良いキャビネットを提供するものである。
【課題を解決するための手段】
【０００４】
上記目的を達成するために請求項１記載の発明によれば、開口部を備えるキャビネットにおいて、前記開口部の底部に棚板と基台を備え、前記棚板と前記基台を連接する第１レールと、前記開口部の側板と前記基台とを連接する第２レールとを備え、前記棚板と前記基台とを着脱可能にする係止部を設けた。
【０００５】
また、請求項２記載の発明のよれば、前記棚板の前側に第１把手を備え、前記第１把手が前記開口部の間口よりも外側へ突出する凸部を設けた。
【発明の効果】
【０００６】
本発明によれば、２対のレールを用いて前後いずれの方向にも棚板の引出し量を十分に確保することを可能とした。また、前側から棚板をキャビネットの開口内に収納する場合に、棚板が後側へ行き過ぎるのを防止するという効果がある。
【発明を実施するための最良の形態】
【０００７】
本発明の実施例について説明する。
【実施例】
【０００８】
まず、図１を用いて本発明の全体構成について簡単に説明する。
本発明によるキャビネット１はキッチン側Ｋとダイニング側Ｄを仕切る間仕切りとして設置され、上部にはワークトップ２が固定される。キャビネット１は左右を側板１１ａ、１１ｂ、上部を天板１２（図示しない）で囲まれた開口部１０を有し、開口部１０より下部にはキッチン側Ｋに前板２１を有する引出し２０を備え、引出し２０よりも下部のキッチン側Ｋとダイニング側Ｄに蹴込板２２ａ、２２ｂを備える。またキャビネット１は、開口部１０を塞ぐ開き扉１３をダイニング側Ｄに開閉自在に備える。開口部１０の底部にはスライド可能な棚板３０を備えており、棚板３０下部には基台（図示しない）を備える。
棚板３０上に電気炊飯器３などの家電製品を置いて使用する場合の電源として、側板１１ａにコンセント４を備える。なお、コンセント４は開口部１０内であれば反対側の側板１１ｂや天板１２（図示しない）に設けても良い。
また本発明によるキャビネット１の上に、ワークトップ２の代わりに食器棚など他のキャビネットを固定して設置することも可能である。さらに、本発明によるキャビネット１に隣接して他のキャビネットを連接し、間仕切りとしての間口寸法を大きく取ることが可能である。
【０００９】
図２について、棚板３０がキャビネット１の開口部１０内に格納された状態について説明する。
棚板３０のダイニング側Ｄ端部に第２把手３４が固定され、棚板３０の下部にはキッチン側Ｋ端部に第１把手３２が固定された基台３１がある。第１把手３２は、図１の斜視図に示すように開口部１０よりも大きな間口寸法を持ち、すなわち両端が開口部１０の間口より外側へ突出する凸部（図１参照）を形成している。一方、第２把手３４は開口部１０よりも小さな間口寸法であり、すなわち開口部１０内に格納される。したがって、第２把手３４はダイニング側Ｄの開き扉１３を閉めた状態では、ダイニング側Ｄから見えることはない。
次に図３、図４を用いて棚板３０がキッチン側Ｋおよびダイニング側Ｄへ移動する構成について説明する。
【００１０】
図３は、棚板３０がキッチン側Ｋに最大量引出された状態である。棚板３０と基台３１は、１対から成る第１レール（図示しない）を介してスライド自在に連接されている。さらに基台３１は開口部１０の側板１１ａ、１１ｂと、１対から成る第２レール４１を介してスライド自在に連接されている。棚板３０は、後述する係止部５０により基台３１と係止し、一体となってキッチン側Ｋにスライドする。
【００１１】
図４は、開き扉１３が開放され、棚板３０がダイニング側Ｄに最大量引出された状態である。後述する係止部５０の係止が開放され、棚板３０は第１レール４０により基台３１上においてダイニング側Ｄにスライド自在となる。このとき、基台３１は第１把手３２両端の凸部３３ａ、３３ｂが側板１１ａ、１１ｂのキッチン側Ｋ端面に当たっており、これ以上ダイニング側Ｄへスライドせず、また第２レール（図示しない）は縮んだ状態となる。よって、棚板３０のみがダイニング側Ｄへ引出される。
なお、開き扉１３を設ける代わりに、開口部１０を塞ぐ大きさで把手を備える前板を棚板３０のダイニング側Ｄ端部に固定しても良い。
ここで図３、図４を用いて第１レール４０および第２レール４１について説明する。
図３において、第２レール４１はａ部４１ａ、ｂ部４１ｂ、ｃ部４１ｃの３つの部位から形成される。このうちａ部４１ａは基台３１に固定され、一方ｂ部４１ｂは開口部１０の側板１１ａ、１１ｂに固定され、ｃ部４１ｃはａ部４１ａとｂ部４１ｂの間を摺動する。この構造により、第２レール４１は縮んだ状態での長さよりも大きな引出し寸法を持つものである。
したがって、第２レール４１の縮んだ状態での長さを、開口部奥行寸法ｄと近似とすることにより、第２レール４１の引出し長さキッチン側Ｋへの最大引出し寸法ｔ２を開口部奥行寸法ｄよりも大きく確保することが可能である。
図４において、第１レール４０は第２レール４１と同様にａ部４０ａ、ｂ部４０ｂ、ｃ部４０ｃの３つの部位から形成される。このうちａ部４０ａは棚板３０に固定され、一方ｂ部４０ｂは基台３１に固定され、ｃ部４０ｃはａ部４０ａとｂ部４０ｂの間を摺動する。この構造により、第１レール４０は縮んだ状態での長さよりも大きな引出し寸法を持つものである。
したがって、第１レール４０の縮んだ状態での長さを、開口部奥行き寸法ｄと近似とすることにより、第１レール４０のダイニング側Ｋへの最大引出し寸法ｔ１を開口部奥行寸法ｄよりも大きく確保することが可能である。
【００１２】
図５を用いて前記係止部５０について説明する。
係止部５０は棚板３０および基台３１のキッチン側Ｋに設けられ、棚板３０下面のキッチン側Ｋに固定された磁性体５１と、基台３１のキッチン側Ｋで磁性体５１と相対する位置に固定された鉄板５２から成る。
図２の如く、棚板３０が開口部１０内に格納されている場合、磁性体５１と鉄板５２が係止した状態となる。また、図３の如く第２レール４１がキッチン側Ｋにスライドする場合は、磁性体５１と鉄板５２は係止したままスライドする。すなわち棚板３０と基台３１は一体化してスライドする。
一方、図４の如く第１レール４０がダイニング側Ｄにスライドする場合は、前述の如く第１把手３２両端の凸部（図示しない）により基台３１はダイニング側Ｄへスライドせず、磁性体５１と鉄板５２の係止が開放され、棚板３０のみがダイニング側Ｄへスライドする。
【００１３】
本発明によるキャビネットを使用する場合の作用について説明する。
棚板３０上に置いた電気炊飯器３などの家電製品を使用しない場合や保温状態にある場合、図２の如く棚板３０がキャビネット１の開口部１０内に格納された状態である。棚板３０をダイニング側Ｄへ引出す必要がない場合、開き扉１３を閉めることにより内部の電気炊飯器３等の家電製品がダイニング側Ｄから見えることがない。一方、使用頻度が高いキッチン側Ｋには扉を設けていないので、扉の開閉動作を伴わずに棚板３０を引き出すことが可能である。
【００１４】
キッチン側Ｋにいる使用者が棚板３０を引出す場合の作用について説明する。例えば棚板３０上の電気炊飯器３で炊飯を行う場合、電気炊飯器３から蒸気が排出されるため予め棚板３０を引出した状態にしておく必要がある。このような場合、使用者がまずキッチン側Ｋの第１把手３２をつかみキッチン側Ｋへ引張ると第２レール４１がキッチン側Ｋへスライドし、第１把手３２が固定された基台３１が引出される。このとき、基台３１は係止部５０により棚板３０に係止しているので、棚板３０と一体に引出される。第２レール４１がキッチン側Ｋに最大量スライドすると図３の状態となる。
棚板３０を引出した状態から開口部１０内に収納する場合、使用者が第１把手３２をつかみ開口部１０へ向かって押込むと第２レール４１が縮み、基台３１および棚板３０は一体に開口部１０内へスライドし、第１把手３２の両端の凸部３３ａ、３３ｂが側板１１ａ、１１ｂのキッチン側Ｋ端面に当たるため、第１把手３２と一体に固定されている基台３１はそれ以上ダイニング側Ｄへスライドすることはない。すなわち図２の状態となる。このときスライドさせる勢いが強すぎると、凸部３３ａ、３３ｂが側板１１ａ、１１ｂのキッチン側Ｋ端面に当たったときに係止部５０の係止が外れ、基台３１上の棚板３０のみが慣性によってダイニング側Ｄへスライドしようとするが、ダイニング側Ｄの開き扉１３が閉まっていれば棚板３０はダイニング側Ｄへ飛び出すことはない。
【００１５】
次にダイニング側Ｄにいる使用者が棚板３０を引出す場合の作用について説明する。例えばダイニング側Ｄから棚板３０上の電気炊飯器３内のご飯をよそう場合、使用者はまず開き扉１３を開放し、次に第２把手３４をつかみダイニング側Ｄへ引張ると、係止部５０により係止されている棚板３０と基台３１が分離し、第１レール４０がダイニング側Ｄへスライドし第２把手３４が固定された棚板３０が引出される。第１レール４０がダイニング側Ｄに最大量スライドすると図４の状態となる。
棚板３０を引出した状態から開口部１０内に収納する場合、使用者が第２把手３４をつかみ開口部１０内へ押込むと第１レール４０が縮み基台３１および棚板３０は一体に開口部１０内へスライドし、完全に開口部１０内に収納されると係止部５０により基台３１に係止される。
【００１６】
次に、各レールのキッチン側Ｋおよびダイニング側Ｄへの引出し量について説明する。
第２レール４１のキッチン側Ｋへの引出し量最大引出し寸法ｔ２を約４５０ｍｍ確保すると、棚板３０上に置かれた一般的な容量の電気炊飯器３の蓋３ａは、図３に示す如く天板１２やワークトップ２と干渉することなく全開する。また、開口部１０の上部に蒸気処理装置（図示しない）を設置しておくと電気炊飯器３が開口部１０内に格納された状態で炊飯が可能なので、予め棚板３０を引出しておく必要はない。
さらに、第１レール４０のダイニング側Ｄへの最大引出し寸法ｔ１についても同様に約４５０ｍｍ確保すると、電気炊飯器３の蓋３ａは図４に示す如く天板１２やワークトップ２と干渉することなく全開する。
【００１７】
以上の構成・作用により、本発明によるキャビネットはキッチン側、ダイニング側のいずれからも棚板を引出して使用することが可能で、しかもいずれの方向に対しても十分な引出し量が得られるので、例えば棚板を引出して棚板上の電気炊飯器の蓋を全開する場合に天板やワークトップと干渉しないので、使い勝手が良い。
また、キッチン側から棚板をキャビネットの開口内に収納する場合に、棚板がダイニング側へ行き過ぎるのを防止することができる。
【図面の簡単な説明】
【００１８】
【図１】本発明の外観を示す概略図である。
【図２】本発明の棚板がキャビネットの開口部内に格納された状態を示す断面図である。
【図３】本発明の棚板がキッチン側へ最大量引出された状態を示す断面図である。
【図４】本発明の棚板がダイニング側へ最大量引出された状態を示す断面図である。
【図５】本発明の係止部を示す拡大断面図である。
【符号の説明】
【００１９】
１…キャビネット
２…ワークトップ
３…電気炊飯器
３ａ…蓋
４…コンセント
１０…開口部
１１ａ，１１ｂ…側板
１２…天板
１３…開き扉
２０…引出し
２１…前板
２２ａ，２２ｂ…蹴込板
３０…棚板
３１…基台
３２…第１把手
３３ａ，３３ｂ…凸部
３４…第２把手
４０…第１レール
４０ａ…ａ部
４０ｂ…ｂ部
４０ｃ…ｃ部
４１…第２レール
４１ａ…ａ部
４１ｂ…ｂ部
４１ｃ…ｃ部
５０…係止部
５１…磁性体
５２…鉄板
Ｄ…ダイニング側
Ｋ…キッチン側
ｄ…開口部奥行寸法
ｔ１…第１レールのダイニング側への最大引出し寸法
ｔ２…第２レールのキッチン側への最大引出し寸法
【図１】
2007020599.tif 000003
【図２】
2007020599.tif 000004
【図３】
2007020599.tif 000005
【図４】
2007020599.tif 000006
【図５】
2007020599.tif 000007